(57)【要約】【課題】  電力の消費を抑制できる放送受信装置を提供する。【解決手段】  放送受信装置の一態様であるテレビ１００が実行する処理は、デバイスが使用されていない時間を計測するステップ（Ｓ４１０）と、予め定められた時間が経過しており（Ｓ４２０にてＹＥＳ）、そのデバイスの省電力モードが有効である場合に（Ｓ４３０にてＹＥＳ）、デバイスへの電力の供給を制限する指令を電源制御回路に送出するステップ（Ｓ４４０）と、デバイスが省電力モード時の動作を実行するステップ（Ｓ４５０）とを含む。【選択図】        図４
2006295697.tif 000002
【特許請求の範囲】
【請求項１】
アナログ放送とデジタル放送とのいずれかを受信する選局手段と、
放送を受信するチャンネルを選択するための選局指令の入力を受ける入力手段と、
前記選局手段から、前記デジタル放送に基づく信号の入力を受けて映像信号を出力するデジタル放送受信手段と、
前記選局手段から、前記アナログ放送に基づく信号の入力を受けて映像信号を出力するアナログ放送受信手段と、
前記デジタル放送受信手段および前記アナログ放送受信手段のいずれかから出力される映像信号に基づいて映像を表示する表示手段と、
前記デジタル放送受信手段が使用されていない時間を計測する計測手段と、
外部から電力の供給を受ける電源手段と、
前記デジタル放送受信手段が予め定められた時間使用されていない場合に、前記電源手段から前記デジタル放送受信手段に対する電力の供給を停止する第１の給電制御手段と、
前記選局指令に基づいて、前記デジタル放送受信手段の使用の開始を検知する検知手段と、
前記使用の開始の検知に基づいて、前記電源から前記デジタル放送受信手段に対する電力の供給を開始する第２の給電制御手段とを備える、放送受信装置。
【請求項２】
アナログ放送を受信する選局手段と、
前記選局手段から、前記アナログ放送に基づく信号の入力を受けるアナログ放送受信手段と、
外部から電力の供給を受ける電源手段と、
前記電力の供給を受けることにより予め定められた動作を実行する駆動手段と、
前記駆動手段が前記動作を実行していない状態であることを検出する検出手段と、
前記状態の検出に基づいて、前記駆動手段の作動を制御する制御手段とを備える、放送受信装置。
【請求項３】
前記選局手段は、アナログ放送とデジタル放送とを受信し、
前記駆動手段は、前記選局手段から、前記デジタル放送に基づく信号の入力を受けて映像信号を出力するデジタル放送受信手段を含む、請求項２に記載の放送受信装置。
【請求項４】
前記制御手段は、前記電源手段から前記駆動手段に対する電力の供給を制御する電源制御手段を含む、請求項２に記載の放送受信装置。
【請求項５】
前記電源制御手段は、前記電力の供給を停止する、請求項４に記載の放送受信装置。
【請求項６】
前記検出手段は、前記駆動手段が使用されていない時間を検出し、
前記制御手段は、前記駆動手段が予め定められた時間使用されていない場合に、前記駆動手段の作動を制御する、請求項２に記載の放送受信装置。
【請求項７】
前記駆動手段の作動の開始を検知する検知手段をさらに備え、
前記制御手段は、前記作動の開始の検知に基づいて、前記電力の供給を制御する給電制御手段を含む、請求項２に記載の放送受信装置。
【請求項８】
前記選局手段は、アナログ放送とデジタル放送とを受信し、
前記放送受信装置は、前記デジタル放送を受信するチャンネルを選択するための選局指令の入力を受ける入力手段をさらに備え、
前記駆動手段は、前記選局手段から、前記デジタル放送に基づく信号の入力を受けて映像信号を出力するデジタル放送受信手段を含み、
前記検知手段は、前記選局指令に基づいて前記デジタル放送受信手段の使用の開始を検知する、請求項７に記載の放送受信装置。
【請求項９】
前記検知手段は、前記駆動手段の作動が開始する時刻の到来を検知する時刻検知手段を含む、請求項７に記載の放送受信装置。
【請求項１０】
前記作動が開始する時刻を表わすデータを格納する記憶手段と、
時刻を計測する計測手段とをさらに備え、
前記時刻検知手段は、前記計測手段により計測される時刻と前記データとに基づいて前記時刻の到来を検知する、請求項９に記載の放送受信装置。
【請求項１１】
前記駆動手段は、映像を再生する映像再生手段を含む、請求項２に記載の放送受信装置。
【請求項１２】
前記映像再生手段は、映像を記録する映像記録手段をさらに含む、請求項１１に記載の放送受信装置。
【請求項１３】
前記映像再生手段は、
記録媒体の装着を受ける装着手段と、
前記装着手段に装着された記録媒体に格納されている映像信号を読み取る読取手段とを含む、請求項１２に記載の放送受信装置。
【請求項１４】
前記駆動手段は、外部からケーブルの装着を受けることによりデータの入出力を行なう通信手段を含む、請求項２に記載の放送受信装置。
【発明の詳細な説明】
【技術分野】
【０００１】
本発明はアナログ放送を受信可能な放送受信装置に関し、より特定的には、さらにデジタル放送その他のデバイスを備える放送受信装置に関する。
【背景技術】
【０００２】
アナログ放送を受信可能な放送受信装置において、デジタル放送の開始に合わせて、デジタル放送の受信機能を有する装置も提供されている（たとえば、特許文献１〜４参照）。
【特許文献１】特開２００２−３４４８３２号公報
【特許文献２】特開２００２−３４４８３１号公報
【特許文献３】特開２００３−２９８９７７号公報
【特許文献４】特開２００２−１６８５４号公報
【発明の開示】
【発明が解決しようとする課題】
【０００３】
アナログ放送とデジタル放送とを受信可能な装置によると、アナログ放送の受信回路のみを備える装置に比べて、デジタル放送を受信するための回路による消費電力が増加することになる。
【０００４】
また、複合機能を有する放送受信装置も普及している。ここで複合機能とは、テレビ放送を受信する機能と、映像音声を記録再生する機能、画面を印刷する機能、通信回線を介して他の通信装置と情報通信する機能その他の機能とを含む。このような放送受信装置では、機能の追加によって消費電力が増加するという問題もあった。
【０００５】
本発明は、上述の問題点を解決するためになされたものであって、その目的は、複数の機能を有する放送受信装置において、消費電力を抑制することができる放送受信装置を提供することである。
【０００６】
本発明の他の目的は、アナログ放送とデジタル放送とを受信可能な放送受信装置において、選択されているチャンネルに応じて消費電力を抑制することができる放送受信装置を提供することである。
【課題を解決するための手段】
【０００７】
上記の課題を解決するために、この発明のある局面に従うと、放送受信装置は、アナログ放送とデジタル放送とのいずれかを受信する同調手段と、放送を受信するチャンネルを選択するための選局指令の入力を受ける入力手段と、同調手段から、デジタル放送に基づく信号の入力を受けて映像信号を出力するデジタル放送受信手段と、同調手段から、アナログ放送に基づく信号の入力を受けて映像信号を出力するアナログ放送受信手段と、デジタル放送受信手段およびアナログ放送受信手段のいずれかから出力される映像信号に基づいて映像を表示する表示手段と、デジタル放送受信手段が使用されていない時間を計測する計測手段と、外部から電力の供給を受ける電源手段と、デジタル放送受信手段が予め定められた時間使用されていない場合に、電源手段からデジタル放送受信手段に対する電力の供給を停止する第１の給電制御手段と、選局指令に基づいて、デジタル放送受信手段の使用の開始を検知する検知手段と、使用の開始の検知に基づいて、電源からデジタル放送受信手段に対する電力の供給を開始する第２の給電制御手段とを備える。
【０００８】
この発明の他の局面に従うと、放送受信装置は、アナログ放送を受信する同調手段と、同調手段から、アナログ放送に基づく信号の入力を受けるアナログ放送受信手段と、外部から電力の供給を受ける電源手段と、電力の供給を受けることにより予め定められた動作を実行する駆動手段と、駆動手段が動作を実行していない状態であることを検出する検出手段と、状態の検出に基づいて、駆動手段の作動を制御する制御手段とを備える。
【０００９】
好ましくは、同調手段は、アナログ放送とデジタル放送とを受信する。駆動手段は、同調手段から、デジタル放送に基づく信号の入力を受けて映像信号を出力するデジタル放送受信手段を含む。
【００１０】
好ましくは、制御手段は、電源手段から駆動手段に対する電力の供給を制御する電源制御手段を含む。
【００１１】
好ましくは、電源制御手段は、電力の供給を停止する。
【００１２】
好ましくは、検出手段は、駆動手段が使用されていない時間を検出する。制御手段は、駆動手段が予め定められた時間使用されていない場合に、駆動手段の作動を制御する。
【００１３】
好ましくは、放送受信装置は、駆動手段の作動の開始を検知する検知手段をさらに備える。制御手段は、作動の開始の検知に基づいて、電力の供給を制御する給電制御手段を含む。
【００１４】
好ましくは、同調手段は、アナログ放送とデジタル放送とを受信する。放送受信装置は、デジタル放送を受信するチャンネルを選択するための選局指令の入力を受ける入力手段をさらに備える。駆動手段は、同調手段から、デジタル放送に基づく信号の入力を受けて映像信号を出力するデジタル放送受信手段を含む。検知手段は、選局指令に基づいてデジタル放送受信手段の使用の開始を検知する。
【００１５】
好ましくは、検知手段は、駆動手段の作動が開始する時刻の到来を検知する時刻検知手段を含む。
【００１６】
好ましくは、放送受信装置は、作動が開始する時刻を表わすデータを格納する記憶手段と、時刻を計測する計測手段とをさらに備える。時刻検知手段は、計測手段により計測される時刻とデータとに基づいて時刻の到来を検知する。
【００１７】
好ましくは、駆動手段は、映像を再生する映像再生手段を含む。
【００１８】
好ましくは、映像再生手段は、映像を記録する映像記録手段をさらに含む。
【００１９】
好ましくは、映像再生手段は、記録媒体の装着を受ける装着手段と、装着手段に装着された記録媒体に格納されている映像信号を読み取る読取手段とを含む。
【００２０】
好ましくは、駆動手段は、外部からケーブルの装着を受けることによりデータの入出力を行なう通信手段を含む。
【発明の効果】
【００２１】
本発明に係る放送受信装置によると、指定された機能が予め定められた時間使用されていない場合には、その機能を実現するための手段に対する電力の供給が制御されるため、電力の消費を抑制することができる。
【発明を実施するための最良の形態】
【００２２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２３】
＜第１の実施の形態＞
図１を参照して、本発明の第１の実施の形態に係るテレビ１００について説明する。図１は、省電力機能を有するテレビ１００のハードウェア構成を表わすブロック図である。
【００２４】
テレビ１００は、アンテナ１０２と、チューナ１０４と、外部入力部１０６と、リモコン信号受信部１０８と、操作パネル１１６と、アナログ放送受信ブロック１１０と、表示ユニット１５０と、電源ユニット１６０と、電源制御回路１６２と、デバイス１８０−１，１８０−２とを含む。アナログ放送受信ブロック１１０は、映像信号処理回路１１２と、クロック１１４と、フラッシュメモリ２００と、ＣＰＵ（Central Processing Unit）３００とを含む。表示ユニット１５０は、ＯＳＤ（On Screen Display）画像生成回路１５２と表示領域１５４とを含む。デバイス１８０−１は、制御回路１９０と駆動ユニット１８２とを含む。
【００２５】
アンテナ１０２は、テレビ放送の電波を受信する。チューナ１０４は、アンテナ１０２により受信された電波に基づいて選局が指示されたアナログ放送のチャンネルを選局する。その信号は、アナログ放送受信ブロック１１０に入力される。外部入力部１０６は、テレビ１００の外部からの信号の入力を受けて、入力された信号をアナログ放送受信ブロック１１０に対して送出する。リモコン信号受信部１０８は、リモコン端末１９４により発せられた赤外線信号を受け、そして、その信号をアナログ放送受信ブロック１１０に対して送出する。操作パネル１１６は、たとえばボタン（図示しない）を含み、テレビ１００の視聴者による操作に応じた信号をアナログ放送受信ブロック１１０に対して送出する。この操作は、たとえばチャンネルのアップ選局のためのボタンの押下、ダウン選局のためのボタンの押下等を含む。
【００２６】
アナログ放送受信ブロック１１０において、映像信号処理回路１１２にはチューナ１０４からの映像信号あるいは外部入力部１０６を介して入力が受けられた映像信号が入力される。映像信号処理回路１１２は、これらの映像信号に対して予め定められた処理を実行して表示ユニット１５０に対して送出する。クロック１１４は、アナログ放送受信ブロック１１０の時刻データをＣＰＵ３００に対して送出する。フラッシュメモリ２００には、アナログ放送受信ブロック１１０の動作を規定するためのデータが格納されている。このデータ構造については後述する。
【００２７】
ＣＰＵ３００は、ブロック１１４からの時刻データと、フラッシュメモリ２００に格納されているデータと、リモコン信号受信部１０８あるいは操作パネル１１６からの信号とに基づいて、予め定められた処理を実行する。ＣＰＵ３００は、その処理に応じた制御信号をデバイス１８０−１，１８０−２、あるいはチューナ１０４、もしくはＯＳＤ画像生成回路１５２に対して送出する。ＣＰＵ３００からの信号を受けた各要素は、その信号に応じた処理を実行する。
【００２８】
表示ユニット１５０において、アナログ放送受信ブロック１１０から出力された映像信号は、ＯＳＤ画像生成回路１５２から出力される信号とともに合成されて表示領域１５４に送出される。ＯＳＤ画像生成回路１５２は、ＣＰＵ３００からの信号に基づいて表示領域１５４に表示させるための画像信号を生成する。この信号により、表示領域１５４は、現在受信されているチャンネルの番号、音量その他の情報を表示することができる。表示領域１５４は、たとえばブラウン管あるいは液晶表示装置、その他の表示機能を有するデバイスにより実現される。
【００２９】
デバイス１８０−１，１８０−２は、デジタル放送を受信するためのシステム回路、映像信号を記録するための記録装置、あるいはネットワーク（図示しない）を介して他の映像機器と通信するための通信機能を実現する装置等を含む。制御回路１９０は、ＣＰＵ３００からの信号に基づいて、デバイス１８０−１に所定の動作を実行させるための指令を駆動ユニット１８２に対して出力する。駆動ユニット１８２は、たとえばデバイス１８０−１が記録装置である場合には記録媒体を駆動するためのモータを含む。駆動ユニット１８２は、電源ユニット１６０から電力の供給を受け、そして制御回路１９０からの信号に応じた動作を実行する。この場合駆動ユニット１８２に供給される電力は、たとえば電源制御回路１６２による制御により変更可能である。この変更はＣＰＵ３００からの信号に基づいて行なわれる。
【００３０】
デバイス１８０−２は、デバイス１８０−１と同様の構成、すなわちＣＰＵ３００からの信号に基づいて駆動ユニット（図示しない）を制御する構成を有する。本実施の形態においては、テレビ１００は、２つのデバイス１８０−１，１８０−２を有しているが、１つのデバイスだけを有するものであってもよいし３つ以上のデバイスを有するものであってもよい。また、デバイスの態様は、上記のものに限られず、電源ユニット１６０から電力の供給を受けて作動できる装置であり、当該デバイスが使用されない状態も生じ得るものであればよい。
【００３１】
図２を参照して、本実施の形態に係るテレビ１００のデータ構造について説明する。図２は、フラッシュメモリ２００におけるデータの格納の一態様を概念的に表わす図である。
【００３２】
フラッシュメモリ２００は、領域２１０と２２０とを含む。デバイスを識別するための情報（デバイスＩＤ（Identification））は、領域２１０に格納されている。当該デバイスに対する省電力モードが有効であるか否かを表わす情報は、領域２２０に格納されている。たとえばデバイス１８０−１については、省電力モードは「有効」に設定されている。したがって、デバイス１８０−１は、作動しない場合には後述するように予め定められた省電力の状態に切り換えられる。
【００３３】
一方、デバイス１８０−２に関し、その省電力モードは「無効」に設定されている。したがって、デバイス１８０−２は、テレビ１００の状態に拘らず通常のモードが維持される。すなわちデバイス１８２に対して供給される電力は変更されない。
【００３４】
なお、省電力モードの有無を設定するための態様は、上述のものに限られない。たとえば当該設定は、視聴者による外部入力に応じて変更可能であってもよい。
【００３５】
図３を参照して、本実施の形態に係るテレビ１００が備えるＣＰＵ３００の構成について説明する。図３は、ＣＰＵ３００が実現する機能を表わすブロック図である。
【００３６】
ＣＰＵ３００は、ＣＰＵ３００の外部との間でデータを通信する入出力部３１０と、デバイス１８０−１，１８０−２の未使用時間を計測する未使用時間計測部３２０と、未使用時間計測部３２０による結果に基づいてデバイス１８０−１，１８０−２に対する省電力モードへの切換を開始するか否かを判断する開始判断部３３０と、開始判断部３３０による判断の結果に基づいてデバイス１８０−１，１８０−２に対して電力の供給を制御する給電制御部３４０と、入出力部３１０を介した入力に基づいてデバイス１８０−１，１８０−２を省電力モードから通常のモードに切り換えるか否かを判断する復帰判断部３５０と、復帰判断部３５０の結果に基づいてデバイス１８０−１，１８０−２に対して電力を供給させる電力供給指令部３６０とを含む。
【００３７】
ＣＰＵ３００は、上記の各処理を実現するためのプログラムを演算装置に実行させることにより実現される。あるいは、各機能は、ＣＰＵ３００に代えて、各処理を実現する回路の組み合わせのように、ハードウェア的に実現されてもよい。
【００３８】
図４を参照して、本実施の形態に係るテレビ１００の制御構造について説明する。図４は、テレビ１００が実行する省電力モードへの移行時の処理の手順を表わすフローチャートである。
【００３９】
ステップＳ４１０にて、アナログ放送受信ブロック１１０のＣＰＵ３１０は、デバイス１８０−１，１８０−２が使用されていない時間を計測する。ステップＳ４２０にて、ＣＰＵ３００は、クロック１１４からの信号に基づいて予め定められた時間が経過したか否かを判断する。ＣＰＵ３００は、その時間は経過していると判断すると（ステップＳ４２０にてＹＥＳ）、処理はステップＳ４３０に移される。そうでない場合には（ステップＳ４２０にてＮＯ）、処理はステップＳ４１０に戻される。
【００４０】
ステップＳ４３０にて、ＣＰＵ３００は、デバイス１８０−１，１８０−２の省電力モードが有効であるか否かを判断する。この判断は、たとえばフラッシュメモリ２００に格納されているデータに基づいて行なわれる。ＣＰＵ３００が、デバイス１８０−１，１８０−２の省電力モードは有効であると判断すると（ステップＳ４３０にてＹＥＳ）、処理はステップＳ４４０に移される。そうでない場合には（ステップＳ４３０にてＮＯ）、処理は終了する。
【００４１】
ステップＳ４４０にて、ＣＰＵ３００は、省電力モードが有効であると判断されたデバイス（たとえばデバイス１８０−１）への電力の供給を制限する指令を電源制御回路１６２に対して送出する。電源制御回路１６２は、その指令に基づいて電源ユニット１６０から駆動ユニット１８２に対する電力の供給を制限する。たとえば供給される電力を通常供給時の数十％に低下させる。たとえばデバイス１８０−１に対する電圧を最低限度の電圧値あるいは可能な場合には、０ボルトに切り換える。
【００４２】
ステップＳ４５０にて、デバイス１８０−１は、省電力モード時の動作を実行する。この実行は、たとえば制御回路１９０がＣＰＵ３００からの信号に基づいて予め定められた処理を実行することにより、実現される。
【００４３】
図５を参照して、本実施の形態に係るテレビ１００の制御構造についてさらに説明する。図５は、テレビ１００が省電力モードである場合に通常モードへ復帰するために実行する処理の手順を表わすフローチャートである。このような処理が実行されると、省電力モードであったデバイスは、通常の動作を実行することができる。
【００４４】
ステップＳ５１０にて、ＣＰＵ３００は、リモコン信号受信部１０８からの信号に基づいて制御信号の入力を検知する。ステップＳ５２０にて、ＣＰＵ３００は、その制御信号に基づいてデバイス１８０−１を使用するための指示を検出する。ステップＳ５３０にて、ＣＰＵ３００は、電源制御回路１６２に対して、使用されていないデバイス１８０−１への電力の供給を開始する指令を送出する。電源制御回路１６２は、その指令に応答してデバイス１８０−１への電力の供給を開始する。ステップＳ５４０にて、デバイス１８０−１は、通常モード時の動作を実行する。たとえば、デバイス１８０−１に内蔵されているモータ（図示しない）、あるいはデバイス１８０−１に入力される信号を処理するための回路（図示しない）等が待機状態になり、作動指令に基づいて作動可能な状態となる。
【００４５】
以上のようにして、本実施の形態に係るテレビ１００は、内蔵するデバイス１８０−１，１８０−２のそれぞれについて省電力モードが有効であるか否かの情報をフラッシュメモリ２００に予め格納している。ＣＰＵ３００は、そのデータと予め設定された条件の成立とに基づいてデバイス１８０−１あるいは１８０−２に対する電力の供給を制限する。このようにすると、デバイス１８０−１，１８０−２が使用されていない場合には、そのデバイスに対する電力の供給が抑制されるためテレビ１００の消費電力を抑制することができる。
【００４６】
＜第２の実施の形態＞
以下本発明の第２の実施の形態について説明する。本実施の形態に係るテレビ６００は、アナログ放送を受信する機能に加えてデジタル放送を受信する機能を有する点で、前述の第１の実施の形態と異なる。なお、前述の実施の形態における構成と同一の構成には同一の番号を付してある。それらについての説明は、ここでは繰り返さない。
【００４７】
図６を参照して、本実施の形態に係るテレビ６００について説明する。図６は、テレビ６００のハードウェア構成を表わすブロック図である。テレビ６００は、図１に示されるテレビ１００の構成に対して、デバイス１８０−１，１８０−２の一態様として、デジタル放送受信ブロック１２０を備える。デジタル放送受信ブロック１２０は、映像信号処理回路１２２と、クロック１２４と、フラッシュメモリ４００と、ＲＡＭ５００と、ＣＰＵ１１００とを含む。
【００４８】
チューナ１０４は、アナログ放送とデジタル放送とを選局する。デジタル放送が選局された場合には、デジタル放送の信号は、デジタル放送受信ブロック１２０の映像信号処理回路１２２に入力される。映像信号処理回路１２２は、予め定められた処理を実行してＤ／Ａ（Digital to Analog）変換回路１３０に対して、処理後の信号を送出する。Ｄ／Ａ変換回路１３０は、その信号に対して予め定められた変換処理を実行してアナログ信号を生成し、表示ユニット１５０に対して当該アナログ信号を送出する。
【００４９】
ＣＰＵ１１００は、アナログ放送受信ブロック１１０のＣＰＵ３００からの入力とクロック１２４から時刻情報の入力とを受ける。ＣＰＵ１１００は、またフラッシュメモリ４００に対してデータの書き込みおよび読み出しを実行し、またＲＡＭ５００の所定の領域にデータを一時的に格納する。ＣＰＵ１１００は、デジタル放送を受信する指令を検出した場合に、その放送を受信するための選局指令をチューナ１０４に対して送出する。
【００５０】
アナログ放送受信ブロック１１０とデジタル放送受信ブロック１２０とは、いずれも電源ユニット１６０から電力の供給を受けて作動する。電源ユニット１６０は、たとえば電源制御回路１６０により電力の供給が制限され得る。電源制御回路１６０による当該制御は、たとえばアナログ放送受信ブロック１１０が備えるＣＰＵ３００からの信号に基づいて実現される。
【００５１】
図７を参照して、本実施の形態に係るテレビ６００のデータ構造について説明する。図７は、フラッシュメモリ２００におけるデータの格納の一態様を概念的に表わす図である。
【００５２】
フラッシュメモリ２００は、領域７１０〜７７０を含む。テレビ６００が受信可能なチャンネルを表わす情報は、領域７１０と領域７２０とに格納されている。すなわち物理チャンネルは、領域７１０に格納されている。そのチャンネルが実際に視聴者により選局の対象として設定されているか否かを表わす情報は、ＡＤＤフラグとして領域７２０に格納されている。
【００５３】
物理チャンネルに対応付けられる仮想チャンネルは、領域７３０と領域７４０とに格納されている。仮想チャンネルは、物理チャンネルにおいて多重化されて放送されるため、１つの物理チャンネルは複数の仮想チャンネルを含む。
【００５４】
チューナ１０４により選局の処理を実行させるためのプログラムは、領域７５０に格納されている。テレビ６００が有するデバイスとそのデバイスが省電力モードを実行可能であるか否かを表わすための情報は、領域７６０と領域７７０とに格納されている。たとえば第１のデバイスに関し、省電力モードは「有効」であると設定されている。第２のデバイスに関し、省電力モードは「無効」であると設定されている。したがって、予め定められた条件が成立した場合には、第１のデバイスは、所定の省電力モードに移行することができる。ここで、第１のデバイスは、たとえばデジタル放送受信ブロック１２０であるが、その他のデバイスであってもよい。また、第２のデバイスは、たとえばアナログ放送受信ブロック１１０であるが、その他のデバイスであってもよい。具体的には、テレビ６００の動作を制御するためのＣＰＵ、システム制御回路その他のデバイスは、省電力モードが無効に設定されるのが好ましい。また、必要に応じて使用されるデバイスは、省電力モードは有効および無効のいずれであってもよい。
【００５５】
図８を参照して、本実施の形態に係るＣＰＵ３００について説明する。図８は、ＣＰＵ３００の機能的な構成を表わすブロック図である。ＣＰＵ３００は、図３に示される構成に加えて、オールスキャン指令検出部３７０と、選局指令検出部３７２と、チャンネル決定部３７４と、選局指令部３７６と、チャンネルマップ更新部３７８とを含む。
【００５６】
オールスキャン指令検出部３７０は、リモコン信号受信部１０８あるいは操作パネル１１６からの信号に基づいて、チューナ１０４により受信可能なチャンネルをすべて検出するための指令を取得する。選局指令検出部３７２は、ＣＰＵ３００に入力される信号に基づいて、チューナ１０４に対して視聴者により指示されたチャンネルを選局する指令を検出する。チャンネル決定部３７４は、選局指令検出部３７２による検出結果とフラッシュメモリ２００に格納されているデータとに基づいて、チューナ１０４に選局させるチャンネルを決定する。
【００５７】
選局指令部３７６は、チャンネル決定部３７４による決定の結果に基づいて、チューナ１０４に対してチャンネルを選局させる。チャンネル決定部３７４により決定されたチャンネルがデジタル放送を受信するためのチャンネルである場合には、選局指令部３７６は、デジタル放送受信ブロック１２２のＣＰＵ１１００に対してデジタル放送を受信するためのチャンネルを選局するように指示する。チャンネルマップ更新部３７８は、デジタル放送受信ブロック１２０からの信号に基づいて、テレビ６００が受信可能なチャンネルの情報を更新する。
【００５８】
次に、図９および図１０を参照して、テレビ１００が備えるデジタル放送受信ブロック１２０のデータ構造について説明する。図９は、フラッシュメモリ４００におけるデータの格納の一態様を概念的に表わす図である。図１０は、ＲＡＭ５００におけるデータの格納の一態様を概念的に表わす図である。
【００５９】
図９に示されるように、フラッシュメモリ４００は、領域４１０〜４６０を含む。ＡＤＤフラグは、領域４１０に格納されている。物理チャンネルを表わす情報は、領域４２０に格納されている。この場合、ＡＤＤフラグが「０」である場合には、そのフラグに対応する物理チャンネルは、視聴者により選択されていないことを表わす。一方、ＡＤＤフラグが「１」である場合には、そのフラグに対応する物理チャンネルは、視聴者により選択されていることを表わす。領域４３０には、仮想チャンネルを表わす情報が格納されている。
【００６０】
領域４４０〜４６０には、物理チャンネルに含まれる各サブチャンネルが格納されている。すなわち、いずれかのサブチャンネルが選択されている場合には、そのサブチャンネルが選択されていることを表わすデータ（たとえばフラグ「１」）がその領域に格納されている。一方、いずれかのサブチャンネルが選択されていない場合には、そのチャンネルが選択されていないことを表わすフラグ（たとえば「０」）が対応する領域に格納されている。
【００６１】
図９に示される例では、たとえば物理チャンネル「１０」は、第１のサブチャンネルが選択されており、その他のチャンネルは選択されていない。一方、たとえば物理チャンネル「１１」に関して、いずれのサブチャンネルも選択されていない。またデジタル放送を放送するためのチャンネルは、必要に応じて変更されることがあり、変更される場合には、たとえば領域４４０〜４６０に格納されるサブチャンネルの構成が変わることになる。
【００６２】
次に、図１０を参照して、ＲＡＭ５００は、領域５１０〜５３０を含む。図１０に示されるデータは、デジタル放送受信ブロック１２０からアナログ放送受信ブロック１１０に送られるデータである。すなわち領域５１０には、物理チャンネルが選択されているか否かを表わすＡＤＤフラグが格納されている。領域５２０には、デジタル放送受信ブロック１２０によるスキャン操作により検出された物理チャンネルが格納されている。領域５３０には、各物理チャンネルに対応付けられる仮想チャンネルが格納されている。また、図１０から明らかなように、各物理チャンネルに含まれ得るサブチャンネルは、ＲＡＭ５００には格納されていない。すなわち、アナログ放送受信ブロック１１０に転送されるデータは、フラッシュメモリ４００に格納されているデータに比べてデータ量が少ないものとなる。したがって、データ更新のための負荷が必要最小限に抑制される。また、アナログ放送受信ブロック１１０におけるデータ更新は、速やかに実現される。
【００６３】
図１１を参照して、デジタル放送受信ブロック１２０が備えるＣＰＵ１１００について説明する。図１１は、ＣＰＵ１１００の機能的構成を表わすブロック図である。
【００６４】
ＣＰＵ１１００は、外部との間で信号の入出力を行なう入出力部１１１０と、チューナ１０４に対してデジタル放送を受信するチャンネルのすべてを選局するための指令を出力するオールスキャン指令部１１２０と、アンテナ１０２により受信された電波からデジタル放送されるチャンネルの情報を取得するチャンネル情報取得部１１３０と、デジタル放送を受信するチャンネルの更新を検出する更新チャンネル検出部１１４０と、アナログ放送受信ブロック１１０に対してデジタル放送を受信するチャンネルの情報を送信するチャンネル情報送信部１１５０と、デジタル放送受信ブロック１２０の動作を省電力モードに切り換えるための省電力モード動作制御部１１６０とを含む。
【００６５】
図１２を参照して、本実施の形態に係るテレビ６００の制御構造について説明する。図１２は、テレビ６００が省電力モードに移行するときに実行する処理の手順を表わすフローチャートである。
【００６６】
ステップＳ１２１０にて、アナログ放送受信ブロック１１０のＣＰＵ３００は、リモコン信号の入力に基づいてアナログ放送の受信チャンネルが選局されたことを検知する。ここで、リモコン信号は、たとえばリモコン端末が有するチャンネルアップ選局ボタンあるいはチャンネルダウン選局ボタンの押下に応じて出力される信号を含む。ＣＰＵ３００は、その検知に基づいてチューナ１０４に対して指示されたチャンネルを選局させる。表示ユニット１５０は、選局されたチャンネルの映像を表示する。
【００６７】
ステップＳ１２２０にて、ＣＰＵ３００は、デジタル放送受信ブロック１２０の省電力モードが有効であるか否かを判断する。この判断は、たとえばフラッシュメモリ２００に格納されているデータ（図７における領域７７０）に基づいて行なわれる。ＣＰＵ３００が、デジタル放送受信ブロック１２０の省電力モードは有効であると判断すると（ステップＳ１２２０にてＹＥＳ）、処理はステップＳ１２３０に移される。そうでない場合には（ステップＳ１２２０にてＮＯ）、処理は終了する。
【００６８】
ステップＳ１２３０にて、ＣＰＵ３００は、クロック１１４からの時刻情報に基づいてデジタル放送受信ブロック１２０が使用されていない時間を計測する。ステップＳ１２４０にて、ＣＰＵ３００は、その時間が予め定められた時間を上回った否かを判断する。ＣＰＵ３００が、その時間は予め定められた時間を上回ったと判断すると（ステップＳ１２４０にてＹＥＳ）、処理はステップＳ１２５０に移される。そうでない場合には（ステップＳ１２４０にてＮＯ）、処理はステップＳ１２３０に戻される。
【００６９】
ステップＳ１２５０にて、ＣＰＵ３００は、デジタル放送受信ブロック１２０への電力の供給を制限する指令を、電源制御回路１６２に対して出力する。電源制御回路１６２は、その指令に応じて電源ユニット１６０からデジタル放送受信ブロック１２０への電力の供給を制限する。たとえば供給される電力が予め設定された割合にまで引き下げられる。ステップＳ１２６０にて、ＣＰＵ３００は、省電力モードを表わす画像の生成指令をＯＳＤ画像生成回路１５２に対して出力する。ステップＳ１２７０にて、ＯＳＤ画像生成回路１５２は、その指令に基づいて省電力モードを表わす画像を生成する。その画像に応じた信号が表示領域１５４に対して出力される。ステップＳ１２８０にて、表示ユニット１５０は、その画像を表示領域１５４に表示する。これにより、テレビ６００の視聴者は、テレビ６００が省電力モードに移行したことを認識することができる。
【００７０】
図１３を参照して、本実施の形態に係るテレビ６００の制御構造についてさらに説明する。図１３は、テレビ６００が省電力モードから通常モードに切換わるときに実行する処理の手順を表わすフローチャートである。
【００７１】
ステップＳ１３１０にて、ＣＰＵ３００は、デジタル放送を受信する指令を検知する。ステップＳ１３２０にて、ＣＰＵ３００は、デジタル放送受信ブロック１２０の状態が省電力モードであるか否かを判断する。この判断は、たとえばフラッシュメモリ２００に格納されているデジタル放送受信ブロックの状態を表わすデータに基づいて行なわれる。そのデータは、デジタル放送受信ブロック１２０が省電力モードに移行した場合にはたとえば対応するフラグとして「１」が設定され、省電力モードでない場合には「０」が設定されるものである。ＣＰＵ３００が、その状態は省電力モードであると判断すると（ステップＳ１３２０にてＹＥＳ）、処理はステップＳ１３３０に移される。そうでない場合には（ステップＳ１３２０にてＮＯ）、処理はステップＳ１３４０に移される。
【００７２】
ステップＳ１３３０にて、ＣＰＵ３００は、電源制御回路１６２に対して、デジタル放送受信ブロック１２０への電力の供給を通常のレベルにする指令を送出する。電源制御回路１６２は、その指令に応じて電源ユニット１６０からデジタル放送受信ブロック１２０に対する電力の供給を通常のレベルに戻す。ステップＳ１３４０にて、ＣＰＵ３００は、デジタル放送受信ブロック１２０のＣＰＵ１１００に対してデジタル放送の受信指令を送出する。
【００７３】
ステップＳ１３５０にて、ＣＰＵ１１００は、その受信指令に基づいて受信するチャンネルを決定する。この決定は、たとえばＣＰＵ３００から送られてくる情報とフラッシュメモリ４００に格納されているデータ（図９）とに基づいて行なわれる。ＣＰＵ１１００は、チューナ１０４に対して決定したチャンネルを選局する指令を送出する。チューナ１０４がその指令に基づいてデジタル放送を受信するチャンネルを選局すると、デジタル放送の信号は、映像信号処理回路１２２に入力される。その信号に対する所定の処理が実行された後、デジタル放送の映像は、表示領域１５４に表示される。
【００７４】
ここで図１４および図１５を参照して、本実施の形態に係るテレビ６００における画面の表示態様について説明する。画面（Ａ）は、テレビ６００が通常モードである場合における表示ユニット１５０の表示態様を表わす図である。画面（Ｂ）は、省電力モードにおける表示態様を表わす図である。
【００７５】
テレビ６００がアナログ放送の９チャンネルを受信している場合には、表示ユニット１５０は、表示領域１５４において「９ｃｈ」という情報を表示している（画面（Ａ））。この状態がしばらく続いて省電力モードの開始が指示されると、テレビ６００の内部においてデジタル放送受信ブロック１２０に対する電力の供給が制限される。この省電力モードへの移行を通知するために、たとえば表示領域１５４には「EnergySave」という表示がなされる（画面（Ｂ））。これにより、テレビ６００の視聴者は、アナログ放送を視聴しているときにそのテレビが省電力モードに移行したことを知ることができる。このような表示は、たとえば予め定められた時間表示された後、視聴者によるリモコン端末１９４の操作に応答して、自動的に消去されてもよい。
【００７６】
次に、図１５を参照して、テレビ６００は省電力モードの状態でアナログ放送を受信している場合、そのモードを表わす画像（たとえば「EnergySave」）が表示ユニット１５０に表示される（画面（Ａ））。この場合、視聴者がリモコン端末１９４を用いてデジタル放送のチャンネルを選択すると、デジタル放送受信ブロックは、省電力モードから通常モードに切り換わる。すなわち、アナログ放送受信ブロック１１０は、リモコン端末１９４からの選局指令に基づいて、デジタル放送のチャンネルを選局する指令をデジタル放送受信ブロック１２０に対して送出する。そのためアナログ放送受信ブロック１１０のＣＰＵ３００は、デジタル放送受信ブロック１２０を通常の動作を実行可能なように電源制御回路１６２に対して電力の供給指令を、動作の開始前に送出する。
【００７７】
ＣＰＵ３００は、さらに、ＣＰＵ１１００に対してリモコン信号に応じてデジタル放送を受信するチャンネルを選局する指令を送出する。ＣＰＵ１１００がチューナ１０４に対してそのチャンネルを選択させると、表示ユニット１５０は表示領域１５４にそのチャンネルに応じた映像を表示する。このとき、たとえばＣＰＵ３００あるいはＣＰＵ１１００が現在表示されているチャンネルがデジタル放送のチャンネルであることを表わすようにＯＳＤ画像生成回路１５２に対して画像の表示指令を出力する。表示ユニット１５０は、その指令に応じて生成された画像を、映像とともに表示領域１５４に表示する（画面（Ｂ））。
【００７８】
以上のようにして、本実施の形態に係るテレビ６００は、フラッシュメモリ２００において予め指定されたデバイスの各々について、省電力モードが有効であるか否かを表わす情報を格納する。アナログ放送受信ブロック１１０のＣＰＵ３００は、アナログ放送を受信している間にデジタル放送受信ブロック１２０の作動を停止することができるか否かを判断する。ＣＰＵ３００が、その停止は可能であると判断した場合には、ＣＰＵ３００は、電源ユニット１６０からデジタル放送受信ブロックへの電力の供給を制限する。たとえば供給される電力量が必要最小限に抑制されたり、あるいは完全に遮断される。このようにすると、テレビ６００において使用されないデバイスに対する電力の供給が抑制されるため、テレビ６００全体としての消費電力を抑制することができる。また、テレビ６００は、省電力モードへの移行時あるいは通常モードへの復帰時において表示領域１５４においてその旨を表わす画像を表示するため、テレビ６００の視聴者は、テレビ６００の現在のモードを容易に確認することができる。
【００７９】
＜第３の実施の形態＞
以下、本発明の第３の実施の形態について説明する。本実施の形態に係るテレビ１６００は、アナログ放送を受信する機能に加えて録画機能を有する点で、前述の各実施の形態に係るテレビと異なる。
【００８０】
図１６を参照して、本実施の形態に係るテレビ１６００について説明する。図１６は、テレビ１６００のハードウェア構成を表わすブロック図である。テレビ１６００は、図１に示される構成に加えて、ハードディスクレコーダ１７００を含む。ハードディスクレコーダ１７００は、ＭＰＥＧ（Moving Picture Experts Group）エンコーダ１７０２と、ＨＤＤ（Hard Disk Drive）装置１７０４と、ＣＰＵ１７１０と、ＭＰＥＧデコーダ１７０６とを含む。
【００８１】
チューナ１０４から出力される映像信号は、映像信号処理回路１１２に入力されるとともにＭＰＥＧエンコーダ１７０２に入力される。ＭＰＥＧエンコーダ１７０２は、その映像信号に対して予め定められた処理を実行することにより符号化し、ＨＤＤ装置１７０４に、符号化により生成されたデータを格納する。この符号化処理あるいは格納処理は、ＣＰＵ１７１０により制御される。ＣＰＵ１７１０は、アナログ放送受信ブロック１１０のＣＰＵ３００との間で制御信号の通信を行なう。ＣＰＵ１７１０は、ＣＰＵ３００からの指令に基づいてＨＤＤ装置１７０４に対して映像音声信号の読出処理を実行させる。ＨＤＤ装置１７０４から読み出された信号は、ＭＰＥＧデコーダ１７０６に入力される。ＭＰＥＧデコーダ１７０６は、ＣＰＵ１７１０からの指令に基づいて読み出されたデータを伸長処理し、処理後の信号を表示ユニット１５０に対して送出する。
【００８２】
なお、本実施の形態に係るテレビ１６００は、映像を記録するための装置としてハードディスクレコーダ１７００を備えているが、その他の装置を内蔵していてもよい。すなわち、当該内蔵されている装置は、着脱式の記録媒体の装着を受けて、データの記録あるいは再生が可能な装置であってもよいし、フラッシュメモリ、ＨＤＤその他の記録媒体が固定式である装置であってもよい。たとえばテレビ１６００は、ＶＴＲ（Video Tape Recorder）、ＤＶＤ（Digital Versatile Disc）レコーダその他の記録装置を備えていてもよい。当該装置が記録媒体の装着を受けた場合に、その装着の検知に応答して、電力の供給が開始されてもよい。たとえば、ＤＶＤのトレイを開く指示の入力の検知に応じて、テレビ１６００は、ＤＶＤレコーダに対する電力の供給を開始するようにしてもよい。これにより、テレビ１６００は、電力の消費を抑制しつつ、ＤＶＤを速やかに再生したり、あるいはＤＶＤに番組を速やかに記録することができる。
【００８３】
あるいは、テレビ１６００は、予め定められた通信規格に基づいてネットワーク（図示しない）を介して他の通信機能を有する装置と通信するために電源ユニット１６０から電力の供給を受けて作動する装置を備えていてもよい。
【００８４】
図１７を参照して、ハードディスクレコーダ１７００のＣＰＵ１７１０について説明する。図１７は、ＣＰＵ１７１０の機能的構成を表わすブロック図である。ＣＰＵ１７１０は、入出力部１７１２と、書込モード制御部１７１４と、ＨＤＤ書込指令部１７１６と、ＨＤＤ読出指令部１７１８と、動作制御部１７２０とを含む。
【００８５】
入出力部１７１２は、ＣＰＵ３００との間で制御信号の通信を実行する。書込モード制御部１７１４は、ＭＰＥＧエンコーダ１７０２に対して記録される映像データの圧縮率を制御する。ＨＤＤ書込指令部１７１６は、ＣＰＵ３００からの書込指令に基づいてＨＤＤ１７０４の所定の領域にハードディスクレコーダ１７００に入力される映像信号を記録する指示を出力する。このような指示が出力されると、ＨＤＤ装置１７０４は、データ記録再生ヘッド（図示しない）を用いて、ハードディスク（図示しない）のデータ記録領域にデータを順次書き込む。ＨＤＤ読出指令部１７１８は、ＣＰＵ３００からの再生指令に基づいてＨＤＤ装置１７０４に格納されているデータを検索して読み出す指令を出力する。この読み出しは、当該記録再生ヘッドにより実現される。
【００８６】
映像音声データが読み出されると、それらのデータはＭＰＥＧデコーダ１７０６に入力される。動作制御部１７２０は、ＣＰＵ３００からの指令に基づいて、ハードディスクレコーダ１７００を省電力モードに移行するための処理を実行する。たとえば動作制御部１７２０は、ＣＰＵ１７１０が作動するクロック周波数を通常作動時の周波数に対して予め定められた割合だけ低下させる。なお、動作制御部１７２０による省電力モードのための動作は、上記のものに限られない。
【００８７】
図１８を参照して、本実施の形態に係るテレビ１６００の制御構造について説明する。図１８は、予約録画の実行時にＣＰＵ１７１０が実現する処理の手順を表わすフローチャートである。
【００８８】
ステップＳ１８１０にて、ＣＰＵ３００は、クロック１１４から時刻情報を取得する。ステップ１８２０にて、ＣＰＵ３００は、現在の時刻は予約録画の開始時刻から予め定められた時間内であるか否かを判断する。ＣＰＵ３００が、現在時刻はその開始時刻から予め定められた時間内であると判断すると（ステップＳ１８２０にてＹＥＳ）、処理はステップＳ１８３０に移される。そうでない場合には（ステップＳ１８２０にてＮＯ）、処理はステップＳ１８２０に戻される。
【００８９】
ステップＳ１８３０にて、ＣＰＵ３００は、電源制御回路１６２に対して、ハードディスクレコーダ１７００への電力の供給を開始する指令を送出する。電源制御回路１６２は、この指令に応答して電源ユニット１６０からハードディスクレコーダ１７００への電力の供給量を通常の供給量に復帰させる。ステップＳ１８４０にて、ＣＰＵ３００は、予約録画の開始時刻が到来したか否かを判断する。ＣＰＵ３００が、その開始時刻が到来したと判断すると（Ｓ１８４０にてＹＥＳ）、処理はステップＳ１８５０に移される。そうでない場合には（ステップＳ１８４０にてＮＯ）、処理は再びステップＳ１８４０に戻される。
【００９０】
ステップＳ１８５０にて、ＣＰＵ３００は、ハードディスクレコーダ１７００のＣＰＵ１７１０に対して予約情報に基づく録画を開始する指令を送出する。ＣＰＵ１７１０は、その指令の入力を受けると、ＨＤＤ装置１７０４に対して予め設定された録画モードに基づいてＭＰＥＧエンコーダ１７０２からの映像信号を格納するように指令する。ＨＤＤ装置１７０４は、その指令に基づいて記録再生ヘッド（図示しない）を駆動して所定のディスク領域に映像信号を格納する。
【００９１】
以上のようにして、本実施の形態に係るテレビ１６００は、内蔵するハードディスクレコーダ１７００について省電力モードが有効であるか否かの情報をフラッシュメモリ２００に格納している。予め設定された条件が成立した場合、たとえばハードディスクレコーダ１７００による映像データの記録あるいは再生が行なわれていない場合には、ＣＰＵ３００は、ハードディスクレコーダ１７００に対して省電力モードを実行させる。すなわち電源ユニット１６０からハードディスクレコーダ１７００に対する電力の供給が抑制される。あるいはＣＰＵ１７１０の動作周波数が一時的に小さくされる。これにより、テレビ１６００の消費電力は抑制される。
【００９２】
このようにして省電力モードが実現されている場合に、たとえばハードディスクレコーダ１７００を作動させるトリガが生じると、ＣＰＵ３００は、ハードディスクレコーダ１７００を通常のモードに切り換えさせる。ここで、当該トリガは、録画ボタンの押下、録画予約時刻の到来等を含む。このようにすると、テレビ１６００は、ハードディスクレコーダ１７００の作動を必要としない場合にはハードディスクレコーダ１７００に対する電力の供給を抑制する一方、作動可能な状態に移行することができる。したがって、電力の消費の抑制と、指定された動作の速やかな開始とを実現することができる。
【００９３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００９４】
本発明は、電力の供給を受けて作動する複数のデバイスを有する放送受信装置に適用可能である。たとえば、本発明は、アナログ放送とデジタル放送とを受信可能なテレビジョン受信機、ＶＴＲその他の録画機能を備えたテレビジョン受信機等に適用可能である。
【図面の簡単な説明】
【００９５】
【図１】本発明の第１の実施の形態に係るテレビ１００のハードウェア構成を表わすブロック図である。
【図２】本発明の第１の実施の形態に係るテレビ１００が備えるフラッシュメモリ２００におけるデータの格納の一態様を概念的に表わす図である。
【図３】本発明の第１の実施の形態に係るテレビ１００が備えるＣＰＵ３００が実現する機能を表わすブロック図である。
【図４】本発明の第１の実施の形態に係るテレビ１００が省電力モードへの移行時に実行する処理の手順を表わすフローチャートである。
【図５】本発明の第１の実施の形態に係るテレビ１００が省電力モードから通常モードへ復帰するために実行する処理の手順を表わすフローチャートである。
【図６】本発明の第２の実施の形態に係るテレビ６００のハードウェア構成を表わすブロック図である。
【図７】本発明の第２の実施の形態に係るテレビ６００が備えるフラッシュメモリ２００におけるデータの格納の一態様を概念的に表わす図である。
【図８】本発明の第２の実施の形態に係るＣＰＵ３００の機能的な構成を表わすブロック図である。
【図９】本発明の第２の実施の形態に係るテレビが備えるフラッシュメモリ４００におけるデータの格納の一態様を概念的に表わす図である。
【図１０】本発明の第２の実施の形態に係るテレビが備えるＲＡＭ５００におけるデータの格納の一態様を概念的に表わす図である。
【図１１】本発明の第２の実施の形態に係るテレビのＣＰＵ１１００の機能的構成を表わすブロック図である。
【図１２】本発明の第２の実施の形態に係るテレビ６００が省電力モードに移行するときに実行する処理の手順を表わすフローチャートである。
【図１３】本発明の第２の実施の形態に係るテレビ６００が省電力モードから通常モードに切り換わるときに実行する処理の手順を表わすフローチャートである。
【図１４】本発明の第２の実施の形態に係るテレビ６００における画面の表示態様を表わす図（その１）である。
【図１５】本発明の第２の実施の形態に係るテレビ６００における画面の表示態様を表わす図（その２）である。
【図１６】本発明の第３の実施の形態に係るテレビ１６００のハードウェア構成を表わすブロック図である。
【図１７】テレビ１６００が備えるハードディスクレコーダ１７００のＣＰＵ１７１０の機能的構成を表わすブロック図である。
【図１８】本発明の第３の実施の形態に係るテレビ１６００のＣＰＵ１７１０が実現する処理の手順を表わすフローチャートである。
【符号の説明】
【００９６】
１００，６００，１６００  テレビ、１０２  アンテナ、１０４  チューナ、１０６  外部入力部、１０８  リモコン信号受信部、１１０  アナログ放送受信ブロック、１１２，１２２  映像信号処理回路、１１４，１２４  クロック、１１６  操作パネル、１２０  デジタル放送受信ブロック、１３０  Ｄ／Ａ変換回路、１５０  表示ユニット、１５２  ＯＳＤ画像生成回路、１５４  表示領域、１６０  電源ユニット、１６２  電源制御回路、１８０−１，１８０−２  デバイス、１８２  駆動ユニット、１９０  制御回路、２００，４００  フラッシュメモリ、３００，１１００，１７１０  ＣＰＵ、５００  ＲＡＭ、１７００  ハードディスクレコーダ、１７０２  ＭＰＥＧエンコーダ、１７０４  ＨＤＤ、１７０６  ＭＰＥＧデコーダ。
【図１】
2006295697.tif 000003
【図２】
2006295697.tif 000004
【図３】
2006295697.tif 000005
【図４】
2006295697.tif 000006
【図５】
2006295697.tif 000007
【図６】
2006295697.tif 000008
【図７】
2006295697.tif 000009
【図８】
2006295697.tif 000010
【図９】
2006295697.tif 000011
【図１０】
2006295697.tif 000012
【図１１】
2006295697.tif 000013
【図１２】
2006295697.tif 000014
【図１３】
2006295697.tif 000015
【図１４】
2006295697.tif 000016
【図１５】
2006295697.tif 000017
【図１６】
2006295697.tif 000018
【図１７】
2006295697.tif 000019
【図１８】
2006295697.tif 000020